【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
コンピュータ端末と通信可能なデータ処理装置であって、
前記コンピュータ端末から送信されたデータを受信する受信手段と、
前記データ処理装置を省電力状態に移行する移行手段と、
前記コンピュータ端末から送信された特定のデータに従って、省電力状態を解除する解除手段とを有し、
前記移行手段は、前記解除手段によって省電力状態が解除された後、前記受信手段により受信されたデータが第１の種類のデータである場合には、第１の時間の経過後、前記データ処理装置を省電力状態に移行し、前記解除手段によって省電力状態が解除された後、前記受信手段により受信されたデータが前記第１の種類とは異なる第２の種類のデータである場合には、前記第１の時間とは異なる第２の時間の経過後、前記データ処理装置を省電力状態に移行することを特徴とするデータ処理装置。
【請求項２】
前記移行手段は、前記解除手段によって省電力状態が解除された後、前記受信手段により受信されたデータに、印刷要求及び印刷データのうちの少なくとも１つが含まれているかを判別する判別手段を有し、
印刷要求及び印刷データのうちの少なくとも１つが含まれている場合には、前記移行手段は、前記第１の時間の経過後、前記データ処理装置を省電力状態に移行することを特徴とする請求項１に記載のデータ処理装置。
【請求項３】
前記第２の時間は前記第１の時間より短いことを特徴とする請求項１あるいは２に記載のデータ処理装置。
【請求項４】
前記特定のデータは、前記データ処理装置の省電力状態を解除させる命令であり、前記データ処理装置に印刷処理をさせるための印刷命令でないことを特徴とする請求項１記載のデータ処理装置。
【請求項５】
前記特定のデータは、前記データ処理装置に固有の物理的アドレスに基づいて生成されたデータシーケンスを含み、前記解除手段は、前記特定のデータが前記データシーケンスを含むときは、前記データ処理装置の省電力状態を解除することを特徴とする請求項１乃至４のいずれかに記載のデータ処理装置。
【請求項６】
前記第２の種類のデータは、省電力状態中の複数のデータ処理装置の省電力状態を解除させた後、ネットワークを介して接続される前記複数のデータ処理装置の探索を行うためのデータであることを特徴とする請求項１乃至５のいずれかに記載のデータ処理装置。
【請求項７】
コンピュータ端末と通信可能なデータ処理装置における省電力制御方法であって、
前記コンピュータ端末から送信されたデータを受信する受信ステップと、
前記データ処理装置を省電力状態に移行する移行ステップと、
前記コンピュータ端末から送信された特定のデータに従って、省電力状態を解除する解除ステップとを有し、
前記移行ステップでは、前記解除ステップで省電力状態が解除された後、前記受信ステップで受信されたデータが第１の種類のデータである場合には、第１の時間の経過後、前記データ処理装置を省電力状態に移行し、前記解除ステップで省電力状態が解除された後、前記受信ステップで受信されたデータが前記第１の種類とは異なる第２の種類のデータである場合には、前記第１の時間とは異なる第２の時間の経過後、前記データ処理装置を省電力状態に移行することを特徴とする省電力制御方法。
【手続補正２】
【補正対象書類名】明細書
【補正対象項目名】００１１
【補正方法】変更
【補正の内容】
【００１１】
上記目的を達成するために、請求項１記載のデータ処理装置は、コンピュータ端末と通信可能なデータ処理装置であって、前記コンピュータ端末から送信されたデータを受信する受信手段と、前記データ処理装置を省電力状態に移行する移行手段と、前記コンピュータ端末から送信された特定のデータに従って、省電力状態を解除する解除手段とを有し、前記移行手段は、前記解除手段によって省電力状態が解除された後、前記受信手段により受信されたデータが第１の種類のデータである場合には、第１の時間の経過後、前記データ処理装置を省電力状態に移行し、前記解除手段によって省電力状態が解除された後、前記受信手段により受信されたデータが前記第１の種類とは異なる第２の種類のデータである場合には、前記第１の時間とは異なる第２の時間の経過後、前記データ処理装置を省電力状態に移行することを特徴とする。
【手続補正３】
【補正対象書類名】明細書
【補正対象項目名】００１２
【補正方法】変更
【補正の内容】
【００１２】
請求項２記載のデータ処理装置は、請求項１記載のデータ処理装置において、前記移行手段は、前記解除手段によって省電力状態が解除された後、前記受信手段により受信されたデータに、印刷要求及び印刷データのうちの少なくとも１つが含まれているかを判別する判別手段を有し、印刷要求及び印刷データのうちの少なくとも１つが含まれている場合には、前記移行手段は、前記第１の時間の経過後、前記データ処理装置を省電力状態に移行することを特徴とする。
【手続補正４】
【補正対象書類名】明細書
【補正対象項目名】００１３
【補正方法】変更
【補正の内容】
【００１３】
請求項３記載のデータ処理装置は、請求項１あるいは２に記載のデータ処理装置において、前記第２の時間は前記第１の時間より短いことを特徴とする。
【手続補正５】
【補正対象書類名】明細書
【補正対象項目名】００１４
【補正方法】変更
【補正の内容】
【００１４】
請求項４記載のデータ処理装置は、請求項１記載のデータ処理装置において、前記特定のデータは、前記データ処理装置の省電力状態を解除させる命令であり、前記データ処理装置に印刷処理をさせるための印刷命令でないことを特徴とする。
【手続補正６】
【補正対象書類名】明細書
【補正対象項目名】００１５
【補正方法】変更
【補正の内容】
【００１５】
請求項５記載のデータ処理装置は、請求項１乃至４のいずれかに記載のデータ処理装置において、前記特定のデータは、前記データ処理装置に固有の物理的アドレスに基づいて生成されたデータシーケンスを含み、前記解除手段は、前記特定のデータが前記データシーケンスを含むときは、前記データ処理装置の省電力状態を解除することを特徴とする。
【手続補正７】
【補正対象書類名】明細書
【補正対象項目名】００１６
【補正方法】変更
【補正の内容】
【００１６】
請求項６記載のデータ処理装置は、請求項１乃至５のいずれかに記載のデータ処理装置において、前記第２の種類のデータは、省電力状態中の複数のデータ処理装置の省電力状態を解除させた後、ネットワークを介して接続される前記複数のデータ処理装置の探索を行うためのデータであることを特徴とする。
【手続補正８】
【補正対象書類名】明細書
【補正対象項目名】００１７
【補正方法】変更
【補正の内容】
【００１７】
上記目的を達成するために、請求項７記載の省電力制御方法は、コンピュータ端末と通信可能なデータ処理装置における省電力制御方法であって、前記コンピュータ端末から送信されたデータを受信する受信ステップと、前記データ処理装置を省電力状態に移行する移行ステップと、前記コンピュータ端末から送信された特定のデータに従って、省電力状態を解除する解除ステップとを有し、前記移行ステップでは、前記解除ステップで省電力状態が解除された後、前記受信ステップで受信されたデータが第１の種類のデータである場合には、第１の時間の経過後、前記データ処理装置を省電力状態に移行し、前記解除ステップで省電力状態が解除された後、前記受信ステップで受信されたデータが前記第１の種類とは異なる第２の種類のデータである場合には、前記第１の時間とは異なる第２の時間の経過後、前記データ処理装置を省電力状態に移行することを特徴とする。
【手続補正９】
【補正対象書類名】明細書
【補正対象項目名】００１８
【補正方法】変更
【補正の内容】
【００１８】
請求項１記載のデータ処理装置及び請求項７記載の省電力制御方法によれば、省電力状態が解除される場合があっても、消費電力をより低減させることができる。
【手続補正１０】
【補正対象書類名】明細書
【補正対象項目名】００１９
【補正方法】変更
【補正の内容】
【００１９】
請求項２記載のデータ処理装置によれば、印刷処理を行うために省電力状態が解除される場合に、第１の時間の経過後にはデータ処理装置を省電力状態に移行させることができる。
【手続補正１１】
【補正対象書類名】明細書
【補正対象項目名】００２０
【補正方法】変更
【補正の内容】
【００２０】
請求項３記載のデータ処理装置によれば、第２の時間は第１の時間よりも短いので、省電力状態の解除から省電力状態に移行する時間を短縮することができ、もって消費電力を確実に低減させることができる。
【手続補正１２】
【補正対象書類名】明細書
【補正対象項目名】００２１
【補正方法】変更
【補正の内容】
【００２１】
請求項４記載のデータ処理装置によれば、特定のデータはデータ処理装置の省電力状態を解除させる命令であり、印刷処理をさせる命令ではないので、コンピュータ端末がデータ処理装置に印刷を行わせるとき以外でもデータ処理装置の省電力状態を解除することができる。
【手続補正１３】
【補正対象書類名】明細書
【補正対象項目名】００２３
【補正方法】変更
【補正の内容】
【００２３】
請求項６記載のデータ処理装置によれば、第２の種類のデータは省電力状態に入っている複数のデータ処理装置の省電力状態を強制的に解除させた後、ネットワークを介して接続されるデータ処理装置の探索を行うためのデータであるので、ネットワークに接続されている複数の印刷装置すべての探索を確実に行うことができる。
【手続補正１４】
【補正対象書類名】明細書
【補正対象項目名】００３３
【補正方法】変更
【補正の内容】
【００３３】
スキャナ部１０は、原稿を載置する原稿台ガラス１０１と、原稿台ガラス１０１の所定位置に順次原稿を送る原稿自動送り装置１４６と、原稿台ガラス１０１の上に載置された原稿を主走査方向に露光走査する、例えばハロゲンランプから構成された原稿照明ランプ１０２、及び原稿照明ランプ１０２による原稿からの反射光を反射する走査ミラー１０３を備え、原稿台ガラス１０１の下方において副走査方向に走査する走査ユニット１４７と、走査ミラー１０３の反射光を後述するＣＣＤユニット１０６に向けて反射する走査ミラー１０４，１０５を備え、走査ユニット１４７の１／２の速度で副走査方向に走査する走査ユニット１４８と、走査ミラー１０５の反射光を受光して結像する結像レンズ１０７、結像された像を、例えば８ビットのデジタル画像信号に変換するＣＣＤから構成された撮像素子１０８、及び撮像素子１０８を駆動するＣＣＤドライバ１０９とを有するＣＣＤユニット１０６とを備える。
【手続補正１５】
【補正対象書類名】明細書
【補正対象項目名】００３７
【補正方法】変更
【補正の内容】
【００３７】
プリンタ部２０は、さらに、感光ドラム１１０上の現像されたトナー像を給送される用紙に転写する転写帯電器１２７と、感光ドラム１１０からトナー像が転写された用紙を感光ドラム１１０から分離する分離帯電器１２８と、分離した用紙を後述する定着器１３０に搬送する搬送ベルト１２９と、転写されずに感光ドラム１１０に残ったトナーを回収するクリーナー１１１と、感光ドラムを徐電する前露光ランプ１１２と、感光ドラムを一様に帯電する１次帯電体１１３とを備える。
【手続補正１６】
【補正対象書類名】明細書
【補正対象項目名】００４３
【補正方法】変更
【補正の内容】
【００４３】
コントローラユニット３０は、システムバス３０７及び画像バス３０８を接続しデータ構造を変換するバスブリッジであるイメージバスＩ／Ｆ３０５とを備え、さらに、ネットワーク部３１０から制御信号線４５を介して受信した制御信号及びＣＰＵ３０１から制御信号線４６を介して受信した制御信号に基づいて、電源装置４０から電線４２を介して受容したＤＣ電源を給電ライン４３，４４を介してコントローラ３０の所定の回路要素に給電する電源ＯＮ／ＯＦＦ部４１を備え、電源ＯＮ／ＯＦＦ部４１は、給電ライン４３，４４を選択的にＯＮ／ＯＦＦする。給電ライン４３は、ＣＰＵ３０１，ＲＯＭ３０３，ＨＤＤ３０４，イメージバスＩ／Ｆ３０５，スキャナ・プリンタ通信Ｉ／Ｆ３０６，デバイスＩ／Ｆ３２０，画像回転部３３０，画像圧縮部３４０，ＲＩＰ３６０，スキャナ画像処理部３８０，及びプリンタ画像処理部３９０に接続され、給電ライン４４は、ＲＡＭ３０２，操作部Ｉ／Ｆ３０７，ネットワーク部３１０，及びモデム部３５０に接続されている。
【手続補正１７】
【補正対象書類名】明細書
【補正対象項目名】００５５
【補正方法】変更
【補正の内容】
【００５５】
ネットワーク部３１０が、例えばＰＣ２１２からのプリント命令を受信すると、受信したプリント命令に含まれる特定の情報パケット中に、自己に設定された固有の物理的アドレスに対応するデータシーケンスが組込まれているか否かを解析し、該当するデータシーケンスを見つけると、給電ライン４３をＯＮにするように、制御信号線４５を介して電源ＯＮ／ＯＦＦ部４１を制御し、ＣＰＵ３０１が起動する。このとき、ＣＰＵ３０１は、ＣＰＵ３０１が起動した要因が、ディープスリープモードから通常モードへの復帰によるものか否かを電源ＯＮ／ＯＦＦ部４１より判断し、ディープスリープモードから通常モードへの復帰によるものと判断したときは、起動シーケンスを開始する。このとき、システムプログラムをＨＤＤ３０４からＲＡＭ３０２にダウンロードするシーケンスは省き、ディープスリープモード移行時にＲＡＭ３０２にバックアップされたシステムプログラムを利用する。これにより、通常モードとなったコントローラユニット３０は、ＰＣからのプリント命令に応答して、プリンタ部２０に印刷出力を開始させる。
【手続補正１８】
【補正対象書類名】明細書
【補正対象項目名】００５６
【補正方法】変更
【補正の内容】
【００５６】
ＣＰＵ３０１は、印刷出力が終了すると、計時を開始し、外部入力が無い状態で予め設定された時間が経過したときは、電源ＯＮ／ＯＦＦ部４１にディープスリープモードへの切換え指示を行い、電源ＯＮ／ＯＦＦ部４１は給電ライン４３をＯＦＦにして、コントローラユニット３０は、電力消費の少ないディープスリープモードに切替わる。